【手続補正書】
【提出日】平成23年11月4日(2011.11.4)
【手続補正１】
【補正対象書類名】特許請求の範囲
【補正対象項目名】全文
【補正方法】変更
【補正の内容】
【特許請求の範囲】
【請求項１】
ジョブに基づく印刷処理を行う印刷装置と通信を行う印刷管理装置であって、
ジョブの指示を記述した第一のジョブチケットを受け付ける受け付け手段と、
前記第一のジョブチケットで指定される処理対象の印刷装置から、当該印刷装置で管理している用紙一覧情報を取得する取得手段と、
前記第一のジョブチケットに記述された用紙指定情報を前記取得手段で取得した用紙一覧情報に含まれる用紙情報を用いて編集し、第二のジョブチケットを生成する更新手段と、
前記第二のジョブチケットを前記印刷装置へ送信する送信手段と
を備えることを特徴とする印刷管理装置。
【請求項２】
前記ジョブチケットは、ＪＤＦ（Ｊｏｂ  Ｄｅｆｉｎｉｔｉｏｎ  Ｆｏｒｍａｔ）であることを特徴とする請求項１に記載の印刷管理装置。
【請求項３】
前記用紙一覧情報には、当該印刷装置で利用可能な用紙種類を、利用者と関連づけて示す用紙情報を含み、
前記更新手段は、前記第一のジョブチケットに記述された用紙指定情報で特定される用紙種類及び前記第一のジョブチケットに記述された利用者の識別情報に基づき、前記用紙一覧情報から用紙情報を特定し、特定した用紙情報で前記第一のジョブチケットの用紙指定情報を更新して前記第二のジョブチケットを生成することを特徴とする請求項１又は２に記載の印刷管理装置。
【請求項４】
前記送信手段は、前記取得手段による用紙一覧情報の取得に先立って、前記第一のジョブチケットを前記印刷装置に送信し、
当該ジョブの実行が失敗する場合に、前記取得手段は前記用紙一覧情報を取得し、
前記生成手段は、当該取得した用紙一覧情報に基づき、前記第二のジョブチケットを生成することを特徴とする請求項１乃至３のいずれか一項に記載の印刷管理装置。
【請求項５】
前記印刷装置における前記第二のジョブチケットに基づく処理の実績情報を取得して管理する管理手段を更に備え、
前記実績情報は、前記第二のジョブチケットで指定される前記印刷装置の操作を行うオペレータの実績として記録されていることを特徴とする請求項１乃至４のいずれか一項に記載の印刷管理装置。
【請求項６】
前記第二のジョブチケットに基づく処理の実績情報は当該第二のジョブチケットに更に記述され、
前記管理手段は、前記印刷装置から前記実績情報が記述された当該第二のジョブチケットを取得して管理することを特徴とする請求項５に記載の印刷管理装置。
【請求項７】
ジョブに基づく印刷処理を行う印刷装置と通信を行う、受け付け手段と取得手段と更新手段と送信手段とを備えた印刷管理装置の制御方法であって、
ジョブの指示を記述した第一のジョブチケットを受け付ける受け付け工程と、
前記第一のジョブチケットで指定される処理対象の印刷装置から、当該印刷装置で管理している用紙一覧情報を取得する取得工程と、
前記第一のジョブチケットに記述された用紙指定情報を前記取得工程で取得した用紙一覧情報に含まれる用紙情報を用いて編集し、第二のジョブチケットを生成する更新工程と、
前記第二のジョブチケットを前記印刷装置へ送信する送信工程と
を有することを特徴とする印刷管理装置の制御方法。
【請求項８】
前記ジョブチケットは、ＪＤＦであることを特徴とする請求項７に記載の印刷管理装置の制御方法。
【請求項９】
前記用紙一覧情報には、当該印刷装置で利用可能な用紙種類を、利用者と関連づけて示す用紙情報を含み、
前記更新工程では、前記第一のジョブチケットに記述された用紙指定情報で特定される用紙種類及び前記第一のジョブチケットに記述された利用者の識別情報に基づき、前記用紙一覧情報から用紙情報を特定し、特定した用紙情報で前記第一のジョブチケットの用紙指定情報を更新して前記第二のジョブチケットを生成することを特徴とする請求項７又は８に記載の印刷管理装置の制御方法。
【請求項１０】
前記送信工程では、前記取得工程による用紙一覧情報の取得に先立って、前記第一のジョブチケットを前記印刷装置に送信し、
当該ジョブの実行が失敗する場合に、前記取得工程では前記用紙一覧情報を取得し、
前記生成工程では、当該取得した用紙一覧情報に基づき、前記第二のジョブチケットを生成することを特徴とする請求項７乃至９のいずれか一項に記載の印刷管理装置の制御方法。
【請求項１１】
前記印刷装置における前記第二のジョブチケットに基づく処理の実績情報を取得して管理する管理工程を更に有し、
前記実績情報は、前記第二のジョブチケットで指定される前記印刷装置の操作を行うオペレータの実績として記録されていることを特徴とする請求項７乃至１０のいずれか一項に記載の印刷管理装置の制御方法。
【請求項１２】
前記第二のジョブチケットに基づく処理の実績情報は当該第二のジョブチケットに更に記述され、
前記管理工程では、前記印刷装置から前記実績情報が記述された当該第二のジョブチケットを取得して管理することを特徴とする請求項１１に記載の印刷管理装置の制御方法。
【請求項１３】
ジョブに基づく印刷処理を行う印刷装置と通信を行うコンピュータを、
ジョブの指示を記述した第一のジョブチケットを受け付ける受け付け手段と、
前記第一のジョブチケットで指定される処理対象の印刷装置から、当該印刷装置で管理している用紙一覧情報を取得する取得手段と、
前記第一のジョブチケットに記述された用紙指定情報を前記取得手段で取得した用紙一覧情報に含まれる用紙情報を用いて編集し、第二のジョブチケットを生成する更新手段と、
前記第二のジョブチケットを前記印刷装置へ送信する送信手段と
して機能させるためのプログラム。
【請求項１４】
前記ジョブチケットは、ＪＤＦであることを特徴とする請求項１３に記載のプログラム。
【請求項１５】
前記用紙一覧情報には、当該印刷装置で利用可能な用紙種類を、利用者と関連づけて示す用紙情報を含み、
前記更新手段は、前記第一のジョブチケットに記述された用紙指定情報で特定される用紙種類及び前記第一のジョブチケットに記述された利用者の識別情報に基づき、前記用紙一覧情報から用紙情報を特定し、特定した用紙情報で前記第一のジョブチケットの用紙指定情報を更新して前記第二のジョブチケットを生成することを特徴とする請求項１３又は１４に記載のプログラム。
【請求項１６】
前記送信手段は、前記取得手段による用紙一覧情報の取得に先立って、前記第一のジョブチケットを前記印刷装置に送信し、
当該ジョブの実行が失敗する場合に、前記取得手段は前記用紙一覧情報を取得し、
前記生成手段は、当該取得した用紙一覧情報に基づき、前記第二のジョブチケットを生成することを特徴とする請求項１３乃至１５のいずれか一項に記載のプログラム。
【請求項１７】
前記印刷装置における前記第二のジョブチケットに基づく処理の実績情報を取得して管理する管理手段としてコンピュータを更に機能させるためのプログラムであって、
前記実績情報は、前記第二のジョブチケットで指定される前記印刷装置の操作を行うオペレータの実績として記録されていることを特徴とする請求項１３乃至１６のいずれか一項に記載のプログラム。
【請求項１８】
前記第二のジョブチケットに基づく処理の実績情報は当該第二のジョブチケットに更に記述され、
前記管理手段は、前記印刷装置から前記実績情報が記述された当該第二のジョブチケットを取得して管理することを特徴とする請求項１７に記載のプログラム。